(57)【要約】【課題】  遊技盤の着脱作業の作業性がよい遊技機を提供する。【解決手段】  遊技盤１０を、前面枠１１の裏面に設けられた取付フレーム１０１の回動端側の側面に形成された挿入口１０２からガイド面１０５、１０４に摺接させつつはめ込み又は抜き出して着脱する構成とするとともに、遊技盤１０の電気的接続を行なうコネクタの一方１５０と他方１６０を、遊技盤１０の挿入側の側端面９３とこの側端面９３が対向する取付フレーム１０１の内側面１０６とに取付けて、遊技盤１０を取付フレーム１０１に対して着脱する際の相対移動に伴ってこれらコネクタ１５０、１６０が接離するように構成する。【選択図】  図４
2006289123.tif 000002
【特許請求の範囲】
【請求項１】
機枠に対して開閉可能に取り付けられた前面枠を有し、前面枠に遊技盤が着脱自在に取り付けられる遊技機において、
前記遊技盤は、前面枠の開放端側の側面に形成された挿入口から横方向に挿入し、この挿入口から横方向に延びるガイド面に対して摺動させつつはめ込んで取付け、あるいは前記ガイド面に対して摺動させつつ前記挿入口から横方向に抜出して取外す構成としたことを特徴とする遊技機。
【請求項２】
前記遊技盤側に配設されるコネクタと、該コネクタに接続可能で前記前面枠側に配設されるコネクタと、を設け、これらのコネクタによって遊技盤と前面枠との間の電気的接続又は切離しが可能であり、
前記遊技盤の挿入側の側端面と、この側端面が対向する前面枠の内側面とに、前記コネクタの一方と他方をそれぞれ対向させて取付け、着脱の際に遊技盤を前記ガイド面に対して摺動させる相対移動に伴ってこれらコネクタが接離する構成としたことを特徴とする請求項１記載の遊技機。
【請求項３】
前記前面枠の開放側端部に前面枠を機枠に対して施錠する施錠装置本体が設けられ、
前記施錠装置本体は、前面枠係止用爪を除く部分が前面枠の厚さ内に配置されており、前記挿入口へ前記遊技盤を挿入するとき該遊技盤と前記施錠装置との干渉を避ける構成にしたことを特徴とする請求項１又は請求項２記載の遊技機。
【請求項４】
前記前面枠は、該前面枠の裏面に一体成形された取付フレームと、該取付フレームの裏面に取り付けられ各種ユニット部品が取り付けられる基枠体と、を備え、
前記取付フレーム及び前記基枠体は、前記挿入口に対して開口するコ字状の切り欠きがそれぞれ形成され、前記遊技盤が嵌め込まれた際に、遊技盤の裏面に設けられた役物装置が前記切り欠き内に位置するようにしたことを特徴とする請求項１乃至請求項３の何れか一項に記載の遊技機。
【発明の詳細な説明】
【技術分野】
【０００１】
本発明は、遊技機に係わり、詳しくは遊技盤を前面枠に対して着脱する際の相対移動により接離（接続又は離脱）するコネクタの一方と他方を、それぞれ前面枠又は遊技盤に設け、前面枠と遊技盤との間の配線接続作業の容易化等を図った遊技機に関する。
【背景技術】
【０００２】
一般にパチンコ機等の遊技機は、遊技盤のみの運搬及び交換を可能にするため、通常遊技盤が着脱できるようになっており、従来は、遊技盤を遊技機本体枠に対して前方又は後方から着脱する構成であった。すなわち、一般にこの種の遊技機は、機枠の前面に開閉自在に取付けられた前面枠により遊技機本体枠が構成され、前面に遊技領域が形成された遊技盤は、この前面枠に後面側（裏面側）又は前面側から着脱される構成となっていた。そして、遊技盤の電気的接続、すなわち遊技盤の電気部品から遊技機本体枠に取付けられた電気部品又は中継基盤への電気的接続は、例えば遊技盤に設けられた複数のコネクタに遊技機本体枠側から引出された電線の端末のコネクタ（非固定状態で設けられたもの）をそれぞれ嵌合させることにより行なわれ、遊技盤自体を取付けた後に遊技盤自体の取付けとは無関係に行なわれていた。
【０００３】
なお、前面枠のさらに前面側には、金属製のガラス枠（クリア部材の保持枠）が配置され、このガラス枠の開口部からガラス板等のクリア部材を介して遊技盤上の遊技領域を前面側から視認可能な状態としている。また、このガラス枠は、通常前面枠の開口部の縁に釘により固定された縁飾り枠に形成された開閉軸受に取付けられており、遊技機の前面側に遊技盤を覆う状態で開閉可能なように構成されている。また、一般に遊技盤表面にはバンド部材（例えば、内バンド、外バンド）や遊技盤の側部を装飾するサイドケースに形成された区画壁により遊技領域が形成され、発射装置から遊技球を遊技領域に向けて発射して、遊技が行なわれるようになっている。
このような従来の遊技機としては、例えば以下の特許文献に開示のものがある。
【０００４】
【特許文献１】特開平４−３０７０８２号公報
【発明の開示】
【発明が解決しようとする課題】
【０００５】
このため、従来の遊技機にあっては、遊技盤の着脱作業の作業性等の面で、以下のような問題点があった。
すなわち、背景技術のところで述べたように、従来の遊技機では遊技盤を遊技機本体枠に対して前方又は後方から着脱する構成であった。
このように、遊技盤を遊技機本体枠の前後面に対して厚さ方向に移動させて着脱するような構成では、遊技盤を挿入する際の遊技盤の把持が容易でなく、また円滑な摺動が実現できにくく、遊技盤の着脱作業の作業性がよくなかった。
【０００６】
そこで本発明は、遊技盤の着脱作業の作業性がよい遊技機を提供することを目的としている。
【課題を解決するための手段】
【０００７】
上記目的達成のため、請求項１記載の発明による遊技機は、機枠に対して開閉可能に取り付けられた前面枠を有し、前面枠に遊技盤が着脱自在に取り付けられる遊技機において、
前記遊技盤は、前面枠の開放端側の側面に形成された挿入口から横方向に挿入し、この挿入口から横方向に延びるガイド面に対して摺動させつつはめ込んで取付け、あるいは前記ガイド面に対して摺動させつつ前記挿入口から横方向に抜出して取外す構成としたことを特徴とする。
また、好ましい態様として、例えば請求項２記載のように、前記遊技盤側に配設されるコネクタと、該コネクタに接続可能で前記前面枠側に配設されるコネクタと、を設け、これらのコネクタによって遊技盤と前面枠との間の電気的接続又は切離しが可能であり、
前記遊技盤の挿入側の側端面と、この側端面が対向する前面枠の内側面とに、前記コネクタの一方と他方をそれぞれ対向させて取付け、着脱の際に遊技盤を前記ガイド面に対して摺動させる相対移動に伴ってこれらコネクタが接離する構成としてもよい。
また、例えば請求項３記載のように、前記前面枠の開放側端部に前面枠を機枠に対して施錠する施錠装置本体が設けられ、
前記施錠装置本体は、前面枠係止用爪を除く部分が前面枠の厚さ内に配置されており、前記挿入口へ前記遊技盤を挿入するとき該遊技盤と前記施錠装置との干渉を避ける構成にしてもよい。
また、例えば請求項４記載のように、前記前面枠は、該前面枠の裏面に一体成形された取付フレームと、該取付フレームの裏面に取り付けられ各種ユニット部品が取り付けられる基枠体と、を備え、
前記取付フレーム及び前記基枠体は、前記挿入口に対して開口するコ字状の切り欠きがそれぞれ形成され、前記遊技盤が嵌め込まれた際に、遊技盤の裏面に設けられた役物装置が前記切り欠き内に位置するようにしてもよい。
【０００８】
「作用」
本発明では、遊技盤は、前面枠の開放端側の側面に形成された挿入口から横方向に挿入され、この挿入口から横方向に延びるガイド面に対して摺動させつつはめ込んで取付け、あるいはガイド面に対して摺動させつつ挿入口から横方向に抜出して取り外される。
したがって、遊技盤を挿入する際の遊技盤の把持が容易であり、また円滑な摺動が実現できて挿入力も少なくてすみ、遊技盤の着脱作業の作業性が格段に向上する。
【発明の効果】
【０００９】
本発明によれば、遊技盤は、前面枠の開放端側の側面に形成された挿入口から横方向に挿入し、この挿入口から横方向に延びるガイド面に対して摺動させつつはめ込んで取付け、あるいはガイド面に対して摺動させつつ挿入口から横方向に抜出して取外す構成としたので、遊技盤の取付け位置を位置決める作業が不要となり、ガイド面に対して遊技盤を摺動させて挿入口から出し入れするだけの極めて簡単な作業で、遊技盤の着脱とともに遊技盤の電気的接続及び切離しが行なわれる。
特にこの場合、遊技盤を横方向に摺動させて着脱する構成としているから、遊技盤とガイド面との接触長さを比較的大きくとることができ、例えば遊技盤を前面枠の前後面に対して厚さ方向に移動させて着脱するような構成に比べ、遊技盤を挿入する際の遊技盤の把持が容易であり、また円滑な摺動が実現できるので遊技盤を抜き差しする力も少なくてすむ。
【実施例】
【００１０】
第１実施例
以下、図面を参照して本発明の一実施例について説明する。
図１〜図３は本発明を適用したパチンコ機の一実施例を示している。
Ａ．パチンコ機の正面構成
図１はパチンコ機の全体を示す正面図である。図１に示すように、パチンコ機１は、遊技盤１０と、額縁状前面枠１１と、クリア部材の保持枠１２と、この額縁状前面枠１１の前面側に設けられた前面枠表示部１３とを有している。遊技盤１０（図３に示す）は、額縁状前面枠１１内に着脱自在に取付けられ（詳細後述する）、前面に遊技領域が形成されたものである。額縁状前面枠１１は、例えば合成樹脂の一体成形よりなり、パチンコ機１の前面側に開閉可能に備えられ、ほぼ中央に開口部が形成されている。保持枠１２は、額縁状前面枠１１の開口部を覆うように配設されたもので、この保持枠１２内に保持されたクリア部材（本実施例の場合には保持枠１２と一体成形された視認窓部５２）を通して遊技盤１０における遊技領域が見えるようになっている。なおクリア部材は、保持枠１２と別体として構成され、例えば保持枠にワンタッチで取付けられる構成としてもよい。このようにすれば、クリア部材が汚れた場合等にクリア部材の交換が容易にできる。
【００１１】
また、パチンコ機１は前面側に前面表示パネル１５と、前面操作パネル１６とを有している。額縁状前面枠１１は木製（樹脂製でもよい）の機枠（図１では額縁状前面枠１１の向う側に位置している）１７に対して上部蝶番１８および下部蝶番１９によって開閉可能に支持され、保持枠１２は額縁状前面枠１１に開閉可能に支持されている。
前面表示パネル１５には、上皿２１と、プリペイドカードの残高を表示するカード度数表示器（カード残高表示器）２２と、玉を購入するときに操作される玉貸釦（変換釦）２３と、プリペイドカードを排出するときに操作されるカード排出釦（返却釦）２４と、玉貸し可能表示器２５と、上皿２１の玉を後述の玉貯留皿３２に移す玉通路開閉用の押し釦２６とが設けられている。
前面操作パネル１６には、灰皿３１と、玉を貯留する玉貯留皿（受皿）３２と、玉貯留皿３２に貯留された玉を外部下方に抜くための玉抜きレバー３３と、発射装置の操作を行う発射操作ノブ３４とが設けられている。
また、上皿２１と玉貯留皿３２との間には、内部を玉が通過する様子が透視できるように透明又は半透明とされた上皿玉通路３５及びオーバーフロー玉通路３６が設けられている。上皿玉通路３５及びオーバーフロー玉通路３６は、上皿２１内の玉を玉貯留皿３２に移すための玉通路で、前記押し釦２６を押すと、玉通路３５を通って上皿２１内の玉が玉貯留皿３２に流れ落ちるようになっている。また、オーバーフロー玉通路３６は、上皿２１からオーバーフローした玉を自動的に玉貯留皿３２に流れ落とすものである。
【００１２】
前面枠表示部１３は、額縁状前面枠１１の図１における上縁部と右縁部に設けられたＬ字状のものであり、この前面枠表示部１３には複数のランプ４２と、稼働データ表示器４３と、施錠部４４とが配置されている。この前面枠表示部１３は、前面枠１１に形成された凹部内に、前記ランプ４２，稼働データ表示器４３，施錠部４４を配置し、この凹部を樹脂よりなる透明板等のクリア部材（レンズ部材）で覆うことにより構成されたもので、例えば前記凹部にカラフルな色彩が施されることにより、額縁状前面枠１１を装飾する機能も有するものである。ランプ４２は、遊技機裏側に設けられた役物制御装置により、遊技状態に応じて点灯（あるいは点滅）制御される。例えば、大当り発生時、貸玉排出時、打止状態の発生時等に点灯するように制御される。稼働データ表示器４３は、この場合７セグメントの大型ＬＥＤを２列配置した構成で、遊技機裏側に設けられた役物制御装置又はホールの管理装置により制御されて、稼働データを表示する。稼働データとしては、例えば大当り回数、大当り確率、確率変動発生回数、始動回数、リーチ回数、打止回数、出玉数等の情報がある。施錠部４４は、保持枠１２及び額縁状前面枠１１を、それぞれ額縁状前面枠１１又は機枠１７に対して施錠する施錠装置（本体は前面枠１１の裏面に設けられている。詳細後述する。）のキー挿入部であり、保持枠１２を開く場合には、施錠部４４に所定のキーを挿入して所定角度回動操作すればよく、またさらに所定角度回動操作すれば、前面枠１１のロック状態も解除されてオープン可能となるように構成されている。
なお、前面枠表示部１３は、例えば前記ランプ４２等が取付けられた基盤（前面枠１１とは別体のもの）を前面枠１１に取付けることにより構成されていてもよい。
【００１３】
ここで、遊技盤１０における遊技領域はどのようなものでもよく、この場合遊技球を使用するパチンコ遊技機であれば、任意の構成を取り得る。例えば、いわゆる「第１種」に属するもので、複数の図柄を可変表示可能な表示装置（特別図柄表示装置）を備え、この表示装置における可変表示結果が予め定められた特別図柄で表示されたことを条件に遊技者に有利な特別遊技状態（大当り状態）を発生可能な遊技機でもよい。また、表示装置の図柄内容を変化させてゲームを行うもので、「第３種」に属する遊技機、あるいは表示装置を備えた他の種類の遊技機、いわゆる「第２種」に属する遊技機、又はその他の機種（例えば、他種タイプ）等に幅広く適用が可能である。また、表示装置を備えていない各種類の遊技機にも適用することができる。本実施例では「第１種」に属するタイプのものを用いている。
【００１４】
また玉貸機は、図示省略しているが、例えばパチンコ機１の左側面に配設される。また、玉貸機としては例えばカードリーダを内蔵したカード式のものが使用されるが、カードリーダでなく、例えばカードリーダ・ライタを配置し、玉数等の価値情報や遊技客の識別情報が記憶されている遊技用カードを用い、遊技結果をカードに書き込む等のデータ処理が可能なものであってもよい。さらに、遊技用カードはプリペイドカードに限らず、例えば玉数等の価値情報が記憶されている玉数カード、あるいは遊技客の識別情報が記憶されている識別カード等を単独で使用する遊技機でもよい。
要は、遊技用カードを使用するために、このカード情報を読み込み可能なカードリーダ、若しくは読み込み／書き込み可能なカードリーダ・ライタであればよい。例えば、完全なカード式のパチンコ遊技システムで封入球式の遊技機（例えば、クレジット方式の遊技機）にも本発明を適用することができる。
また、遊技用カードとして磁気カードを用いている例に限らず、例えばＩＣカードを用いる遊技機でもよい。ＩＣカードを用いた場合、当然のことながらカードリーダ若しくはカードリーダ・ライタはＩＣカードに対応するものを使用することになる。
なお、カードリーダとカード制御装置とは別体として分離して配置してもよいし、あるいは両者を一体化してもよく、例えばカードリーダの内部にカード制御装置を組み込むようにしてもよい。
【００１５】
Ｂ．保持枠の構成
次に、図２により、保持枠１２の構成について説明する。図２は、保持枠１２のみを開いた状態を示す遊技機前面側の斜視図である。図２に示すように、保持枠１２は、２枚の枠体（前方枠体５０，後方枠体６０）を重合結合させることにより構成されている。前方枠体５０は、合成樹脂を射出成形等により成形して製作されたもので、額縁状の枠本体部５１の内側に前方側クリア部材に相当する視認窓部５２（図１に示す）が形成され、少なくとも視認窓部５２は透明又は半透明とされ透視可能となっている。この場合、視認窓部５２は、図１に示すように円形状の遊技領域視認部５２ａと、そのまわりのサイド装飾部５２ｂとからなり、遊技領域視認部５２ａとサイド装飾部５２ｂとの境目には段差等よりなる境界５２ｃが形成されている。また、前方枠体５０の裏側の周縁には、図２に示す如く折返し部５３が形成されている。
【００１６】
後方枠体６０は、この場合例えば金属製の板材を塑性加工等により曲げ加工し溶接等により結合してなるもので、前方枠体５０の裏側の折返し部５３の内側に取付けられた基板部６１と、この基板部６１の裏側に取付けられた保持部６２とよりなる。基板部６１の中央には、遊技盤１０の遊技領域を前面側に望ませる大きさの開口６３が形成され、前記ガラス板とこの開口６３と前記前方枠体５０の遊技領域視認部５２ａを通して遊技盤１０の遊技領域が前面側から見えるようになっている。また、この基板部６１における前記開口６３の周囲には、後述の保持枠装飾ランプ７１を前面側に望ませる貫通穴が周方向に複数形成されている。保持部６２は、後方側クリア部材に相当するガラス板（図示省略）を上から挿入し遊嵌させて保持するものである。そして、後方枠体６０の基板部６１の裏面における開口６３の周囲には、保持枠装飾盤７０が取付けられている。この保持枠装飾盤７０は、遊技領域の回りを囲む円盤状の形状とされ、前記折返し部５３の内側にはまり込む外形とされたもので、保持枠装飾ランプ７１が周方向に複数配設されている。この保持枠装飾ランプ７１は、前記基板部６１に形成された貫通穴を介して前面側に露出するように取付けられたもので、図１に示すように、保持枠１２に組付けられた状態において、視認窓部５２における遊技領域視認部５２ａのまわりのサイド装飾部５２ｂに配置されて、遊技者の目につきやすい位置で、遊技状態に応じた装飾を行なうものである。すなわち、この保持枠装飾ランプ１０１は、例えば遊技機裏面に配設された役物制御装置に接続され、この役物制御装置より遊技状態に応じて点灯（又は点滅）制御される。なお、この保持枠装飾ランプ７１の配線は、図示省略しているが、例えば遊技盤に設けられたコネクタを介して遊技機の裏側に引き回されている。
なお、図２に示すように、遊技盤１０の前面には、内バンド８１、外バンド８２が取付けられ、これにより遊技領域が画成されている。
【００１７】
Ｃ．前面枠の裏面構造及び遊技盤の取付け構造
次に、図３乃至５により前面枠１１の裏面構造及び遊技盤１０の取付け構造について説明する。図３は、前面枠の裏面構造及び遊技盤の取付け構造を示す斜視図、図４は、保持枠を取外した状態における前面枠の正面図であって、遊技盤の着脱作業を説明する図である。なお図３に示すように、遊技盤１０の裏面には、役物装置の裏機構９１と、玉寄せカバー９２が設けられている。
前面枠１１の裏面には、裏機構盤１００が設けられ、この裏機構盤１００に対して遊技盤１０が着脱自在に取付けられる構成となっている。裏機構盤１００は、この場合、前面枠１１の裏面に形成された取付けフレーム１０１と、この取付けフレーム１０１の裏面に取付けられた基枠体１０９と、この基枠体１０９の上（表面）に取付けられた各種ユニット部品とからなる。取付けフレーム１０１は、合成樹脂の一体成形により前面枠１１と一体に形成されたもので、前面枠１１が開く側の側端面には、遊技盤１０が横方向に挿入される挿入口１０２が形成され、さらにこの挿入口１０２から内部横方向に向って、遊技盤１０の袋状の配置空間１０３が形成されている。なおこの場合、この取付けフレーム１０１も含めた前面枠１１の全体が本発明の遊技機本体枠を構成している。
【００１８】
そして、この配置空間１０３を画成する上部内面１０４（図４に示す）と下部内面１０５は、挿入口１０２から横方向に伸びる本発明のガイド面として機能するよう構成されている。すなわち、図４に示す如く、挿入口１０２から挿入した遊技盤１０の上端面と下端面をそれぞれこれら上部内面１０４と下部内面１０５に摺接させつつ、遊技盤１０の挿入側の側端面９３が配置空間１０３の奥側の内側面１０６（図４に示す）に接合するまで（正確には後述するコネクタ１５０，１６０が嵌合するまで）遊技盤１０を押込めば、遊技盤１０が所定の取付位置に保持されるようになっている。なおここで、遊技盤１０の所定の取付位置とは、遊技盤１０の前面に形成された遊技領域が、前面枠１１の前に配置された前述の遊技領域視認部５２ａの後方に位置する位置である。なお、コネクタ１６０には、後述するようにテーパガイド面１６１が設けられ、遊技盤１０をこのように押込めば確実かつ円滑にコネクタ１５０，１６０が嵌合するように構成されている。
【００１９】
また、取付けフレーム１０１における挿入口１０２には蓋部材１１０が取付けられるようになっており、取付けフレーム１０１における挿入口１０２の上縁部と下縁部には、挿入口１０２に取付けた蓋部材１１０を保持するためのロック部材１２０，１３０が設けられている。蓋部材１１０は、遊技盤１０を前記取付位置に取付けた後に挿入口１０２を覆うように取付けられ、遊技盤１０の取付け位置からの位置ずれや脱落を防止する部材であり、上端と下端には可撓性を有するロック用爪１１１，１１２がそれぞれ形成されている。ロック部材１２０，１３０は、この場合それぞれ前記ロック用爪１１１，１１２に引掛け可能なように揺動自在に支持された係合リングよりなるものである。なお、これらロック部材１２０，１３０の係合リングは、ロック用爪１１１，１１２を一旦撓ませるようにしてこれらに引掛けられ、ロック用爪１１１，１１２の復元力により係合状態（引掛けれらた状態）が維持されるようになっている。
【００２０】
そして、遊技盤１０の挿入側の側端面９３には、図４に示す如く、遊技盤１０の電気的接続を行なうための雄コネクタ１５０（コネクタの一方）が縦に複数設けられている。また、取付けフレーム１０１における、前面枠１１の回動軸側の側壁１０６ａ（前記内側面１０６を形成する壁）には、図４及び５に示すように、前記雄コネクタ１５０にそれぞれ嵌合する雌コネクタ１６０（コネクタの他方）が縦に複数取付けられている。雌コネクタ１６０は、図５に示す如く、電線１６１（遊技盤１０に接続すべき電線）の端末に結線されたもので、両側面には可撓性のある係止爪１６２が形成され、上下端面にはストッパ１６３が形成されている。ここで、電線１６１は、基枠体１０９上の各種ユニット部品、ホールの管理装置等に接続されたもので、遊技機制御装置（役物制御回路）が遊技盤の裏面以外（例えば機枠等）に設けられる場合には、この遊技機制御装置に遊技盤を接続するための電線も含む。この雌コネクタ１６０は、取付けフレーム１０１における前記側壁１０６ａに形成された取付穴１０７（設置部）に挿入され、係止爪１６２がこの取付穴１０７の両側縁に形成された切り欠き１０７ａの裏側に弾力的に係合し、ストッパ１６３が取付穴１０７の上下縁部表面に当接することにより、取付けフレーム１０１に取付けられ略固定状態とされている。
【００２１】
なお、取付穴１０７は、この取付穴１０７に取付けられた雌コネクタ１６０が、前記配置空間１０３にはめ込まれた遊技盤１０の雄コネクタ１５０に対向する位置に形成され、これにより、着脱の際に遊技盤１０を前記上下内面（ガイド面）１０５，１０４に対して摺動させる相対移動に伴ってこれらコネクタ１５０，１６０の複数組がそれぞれ接離する構成となっている。また、雌コネクタ１６０に結線された多数の電線１６１は、雌コネクタ１６０を常時取付けフレーム１０１に取付けておく構成であるため、余裕をもった長さに引回しておく必要（たるませておく必要）はなく、例えば図５に示すようにチューブ１６４により束ねて、取付けフレーム１０１に形成された係止爪１０８等によって係止され、ぶらつかないように取付けフレーム１０１等に密着させて配置されている。また、取付けフレーム１０１の取付穴１０７（設置部）は、雌コネクタ１６０の数（この場合３個）よりも多い数（この場合４個）設けられており、遊技盤１０にもこれに対応するだけ雄コネクタ１５０が配設できるようにコネクタの設置部が設けられている。なお、遊技盤１０への雄コネクタ１５０の取付けは、遊技盤が通常ベニア等の木製材料よりなるため、例えばネジ止めにより行なわれているが、遊技盤１０の挿入側の側端面に樹脂製の取付け部材（取付けアダプタ）をネジ止めにより取付け、この取付け部材に、上記取付け穴１０７と同様の取付け穴を形成し、上記雌コネクタ１６０と同様の構造で取付けるようにしてもよい。
さらに、取付けフレーム１０１及び基枠体１０９における前記遊技盤１０の配置空間１０３の裏側位置には、図３に示すように前記遊技盤１０の挿入口１０２に対して開口するコ字状の切欠き１０１ａ，１０９ａがそれぞれ形成され、遊技盤１０がはめ込まれた際に、遊技盤１０の裏面に設けられた役物装置９１がこれらの切欠き１０１ａ，１０９ａ内に位置して、干渉が生じないようになっている。
【００２２】
また、基枠体１０９の上（表面）に取付けられた各種ユニット部品の主なものとしては、図３に示すように、基枠体１０９の上部に取付けられて遊技島から供給された玉を貯留する貯留タンク１４１と、この貯留タンク１４１内の玉を誘導する玉導出樋１４２，１４３と、これら玉導出樋１４２，１４３を介して誘導された玉を計数して排出する排出装置１４４と、この排出装置１４４や流路切換え部等の動作を制御する排出制御装置１４５とを備える。なお、流路切換え部とは、排出装置１４４から排出された玉の流路を排出側あるいは玉抜き側に切換える部位で、例えば排出装置１４４の下部に設けられる（詳細図示省略）。
【００２３】
Ｄ．施錠装置の構成
次に、図６乃至７により前面枠１１及び保持枠１２を閉じた状態にロックする施錠装置の構成について説明する。図６は、施錠装置本体２００の構成及び取付け構造を示す斜視図であり、図７は施錠装置本体２００の取付け状態を示す前面枠の側面図である。図６に示すように、施錠装置本体２００は、前面枠１１の回動側端部の裏側に形成された縦長状の凹部２０１に収納されて配設され、後述する前面枠係止用爪２２１，２２２を除く全体が前面枠１１の厚さ内に配置されており、これにより施錠装置と遊技盤１０との干渉を避けて遊技盤１０を前記挿入口１０２からの着脱することが容易に可能となっている。この施錠装置本体２００は、前記凹部２０１内の奥面にネジ止め等により固定される固定板２１０と、この固定板２１０に対して摺動する摺動板２２０と、前述の施錠部４４から挿入されたキーの回動操作に応じて摺動板２２０を動かすカム２３１を支持駆動するカム駆動部２３０とより主構成をなすものである。
【００２４】
摺動板２２０の上端と下端には、前面枠１１の裏面側に突出する前面枠係止用爪２２１，２２２が設けられ、また摺動板２２０の上下方向略中央における内側部には、保持枠係止用爪２２３が側方に突出するように形成されている。前面枠係止用爪２２１，２２２は、前面枠１１が機枠１７に対して閉じた状態において、機枠１７に形成された係合部（図示省略）に上から係合可能なもので、また、保持枠係止用爪２２３は、前記凹部２０１の側面に形成された開口２０２から内側に突出するように配置されたもので、保持枠１２が前面枠１１に対して閉じた状態において、保持枠１２の回動端側の側部に設けられた係合片２０３に下から係合可能なものである。また、摺動板２２０の上下方向略中央における外側部には、カム駆動部２３０のカム２３１と係合する係合用切欠き２２４が形成されており、カム２３１とこの係合用切欠き２２４との係合により、前記キーの回動操作が伝達され摺動板２２０が上方又は下方に押されて摺動するようになっている。また、固定板２１０と摺動板２２０との間には、引張りコイルバネ２１１，２１２，２１３が張設されており、引張りコイルバネ２１１，２１２により摺動板２２０が下方へ付勢され、引張りコイルバネ２１３により摺動板２２０が上方へ付勢されている。
【００２５】
そして、上記施錠装置本体２００における、引張りコイルバネ２１１，２１２，２１３の仕様（自然長，バネ定数等）、カム２３１の仕様（形状，寸法等）、カム２３１とカム駆動部２３０の相対関係（挿入されたキーの回動角度とカム２３１の回転角度との関係）、前面枠係止用爪２２１，２２２の仕様（形状，寸法等）、また保持枠係止用爪２２３の仕様（形状，寸法等）等は、前述の施錠部４４から挿入されたキーの回動操作に応じて下記のような動作が実現されるように設定されている。
すなわち、まず、施錠部４４にキーが挿入されていない通常状態においては、摺動板２２０が各引張りコイルバネ２１１，２１２，２１３の付勢力が釣り合う施錠位置にあり、この施錠位置においては、前面枠係止用爪２２１，２２２及び保持枠係止用爪２２３が、それぞれ機枠１７に形成された係合部あるいは保持枠１２に設けられた係合片２０３に係合する位置にある。このため、これら前面枠係止用爪２２１，２２２及び保持枠係止用爪２２３が係合状態にあれば、その状態が維持され、保持枠１２及び前面枠１１は回動不能な状態（すなわち、施錠状態）に安定的に維持される。
【００２６】
そして、このような施錠状態において、施錠部４４にキーが挿入されて左に（反時計回りに）所定角度（例えば、９０度）回動操作されると、カム駆動部２３０を介してカム２３１が回動し、係合部２２４を介して摺動板２２０を押下げる。これにより、保持枠係止用爪２２３が、保持枠１２に設けられた係合片２０３に係合しない下方位置に退避し、保持枠１２が前面枠１１に対して回動可能となる。また、施錠部４４にキーが挿入されて右に（時計回りに）所定角度（例えば、９０度）回動操作されると、カム駆動部２３０を介してカム２３１が回動し、係合部２２４を介して摺動板２２０を押上げる。これにより、前面枠係止用爪２２１，２２２が、機枠１７に形成された係合部に係合しない上方位置に退避し、前面枠１１が機枠１７に対して回動可能となる。また、このように施錠部４４に挿入されたキーが回動操作されて、保持枠１２あるいは前面枠１１が開かれた後には、キーをもとの角度に戻して、単に保持枠１２あるいは前面枠１１を閉じれば、閉じられる過程において、前面枠係止用爪２２１，２２２あるいは保持枠係止用爪２２３の先端側に形成された傾斜面が、それぞれ機枠１７に形成された係合部あるいは保持枠１２に設けられた係合片２０３に斜めに当接することで、前記摺動板２２０を一旦下方又は上方に押上げる力が発生し、自動的かつ円滑にもとの施錠状態に戻るように構成されている。
なお、上記施錠装置本体２００は、施錠部４４にキーが挿入されて第１所定角度（例えば、９０度）回動操作されると、保持枠１２が前面枠１１に対して回動可能となり、さらに同方向に第２所定角度（例えば、さらに９０度）を越えて、施錠部４４に挿入されたキーが回動操作されると、前面枠１１が機枠１７に対して回動可能となる構成とすることもできる。
【００２７】
以上のように本実施例では、遊技盤１０を、前面枠１１の裏面に形成された取付けフレーム１０１の回動端側の側面に形成された挿入口１０２からガイド面１０５，１０４に摺接させつつはめ込み又は抜き出して着脱する構成とするとともに、遊技盤１０の電気的接続を行なうコネクタの一方１５０と他方１６０を、遊技盤１０の挿入側の側端面９３とこの側端面９３が対向する取付けフレーム１０１の内側面１０６とに取付けて、遊技盤１０を前面枠１１の取付けフレーム１０１に対して着脱する際の相対移動に伴ってこれらコネクタ１５０，１６０が接離するように構成した。しかも、保持枠１２及び前面枠１１をロックする施錠装置の本体２００は、前面枠１１の厚さ内（裏面に形成された凹部２０１内）に収納配置するようにした。したがって、以下の効果を得ることができる。
（１）ガイド面１０４，１０５に対して遊技盤１０を摺動させて挿入口１０２から出し入れするだけの極めて簡単な作業で、遊技盤１０の着脱が完了する。特にこの場合、遊技盤１０を横方向に摺動させて着脱する構成としているから、遊技盤とガイド面との接触長さを比較的大きくとることができ、例えば遊技盤を遊技機本体枠の前後面に対して厚さ方向に移動させて着脱するような構成に比べ、遊技盤を挿入する際の遊技盤の把持が容易であり、また円滑な摺動が実現できて挿入力も少なくてすむので、遊技盤の着脱作業の作業性が格段に向上する。
（２）遊技盤１０の挿入口１０２が前面枠１１の回動端側に設けられているから、前面枠１１を機枠１７から少し開けば、遊技盤１０の上記着脱作業が可能になり、遊技盤１０の交換あるいは遊技盤１０のメンテナンス等の作業性が格段によくなる。
（３）遊技盤１０を横方向から抜き差しして着脱する構成であるため、遊技盤前面を装飾する部材（例えば、サイドケース）を前面枠１１等に取付けておくことが容易に可能となり、遊技盤１０を交換する際に、変更しない装飾部材をそのまま遊技機に残しておくことができて便利になる。すなわち、従来のように遊技盤を遊技機本体枠の前後面に対して厚さ方向に移動させて着脱するような構成において、遊技盤前面の装飾部材を遊技盤とは別体として前面枠等に取付けておくと、遊技盤を着脱するための前後動作において遊技盤とこの装飾部材とが干渉する可能性が多分にあり、実用上このような構成において、前面の装飾部材のみを遊技盤とは別に前面枠等に取付けておくことは不可能であったため、装飾部材は交換する必要がなくても遊技盤と一体に交換しなければならないという問題があった。しかし、本実施例の構成であればこの問題が容易に解消できる。
【００２８】
（４）遊技盤１０の着脱作業を行なう作業者は、コネクタ１５０，１６０の接離動作を特に意識しなくても、遊技盤自体の着脱作業を行なえば、この際の遊技盤１０の相対移動（ガイド面１０４，１０５に対する摺動）により、遊技盤１０と取付けフレーム１０１に取付けられたコネクタの一方１５０と他方１６０が自動的に接離する。このため、実質的には遊技盤１０の電気的接続作業が不要となり、遊技盤の着脱作業の作業性が格段に向上する。
（５）遊技盤１０を挿入口１０２から挿入して押込めば、自動的に遊技盤の位置決めが行なわれて所定位置に取付けられ、しかもこの際自動的にコネクタ同士の位置決め（組み合わせ）が決るから、コネクタ１５０，１６０の差し間違いが起こり得ない。
（６）コネクタ１５０，１６０は遊技盤１０と遊技機本体枠（取付けフレーム１０１）とに固定状態に取付けられているから、これらコネクタに結線する配線を長めに引出しておく必要はなく、配線に手や工具等をひっかけることによる断線事故やコネクタの離脱事故が起きなくなるとともに、見栄えもよくなる。
（７）遊技盤１０を横方向に摺動させて着脱する構成において、遊技盤１０の挿入側の側端面と、この側端面が対向する取付けフレーム１０１の内面側とにコネクタを取付けて自動的に接離するように構成しているから、遊技盤１０自体の着脱作業が容易かつ円滑に行なえるようになるとともに、コネクタの接離動作が円滑に行なわれ遊技盤を抜き差しする力も少なくてすむ。
（８）コネクタ１５０，１６０の設置部がコネクタの数よりも多く設けられているから、この設置部を利用して適宜コネクタを増設することが容易にでき、電気部品の増設が容易となる。また、遊技盤の種類を異なるもの（コネクタの数が多いもの）に変更する場合にも、取付けフレーム１０１側の改造が極めて簡単な作業（すなわち、コネクタを設置部に取付ける作業）となり、複数種の遊技盤に対して実質的な互換性が得られる。
【００２９】
（９）施錠装置本体２００の略全体が前面枠１１の厚さ内に配置されているから、前面枠１１の回動端側の端部裏面のスペースが他の部材又はユニット等の設置場所として利用できるようになり、前面枠１１裏面の機器配置の自由度や設置容量が向上する。
（１０）特に上記実施例のように、前面枠１１の取付けフレーム１０１の回動端側の側面に遊技盤１０の挿入口１０２を設ける場合には、施錠装置本体２００が前面枠１１の厚さ内に配置されていることによって、この挿入口１０２が最適な位置に形成でき、遊技盤を横にスライドさせて着脱することによる上述の効果が最大限に発揮される。すなわち、施錠装置本体２００が従来のように前面枠１１の裏面側に張出すように設けられていると、施錠装置本体と遊技盤との干渉が問題となって遊技盤の挿入口を前面枠の回動端側に設け難くなり、無理に回動端側から遊技盤を挿入する構成にしようとすれば、前記干渉を避けるために例えば挿入口１０２（遊技盤の配置空間１０３）を従来よりも前面枠１１に対して後方に設置する等の変更が必要となり、遊技機の大型化等の問題を招く。一方、遊技盤を前面枠の回動軸側の側面から挿入する構成とするには、前面枠を少し開くだけで遊技盤の着脱が可能になるという利点をすてなければならなくなり、かつこの場合にも、排出装置１４４等の機器と遊技盤との干渉の問題が残るのであるが、施錠装置本体２００が前面枠１１内に配置されていれば、これらの問題を生じさせることなく、遊技盤を前面枠の回動端側から挿入する構成にできるのである。
（１１）また、施錠装置本体２００が前面枠１１の厚さ内に配置されているから、例えば機枠と前面枠との隙間から針金のようなものを差込んで施錠装置本体を操作することがほとんど不可能になり、施錠装置本体２００の不正な操作が防止される効果もある。
【００３０】
なお、本発明は上記実施例に限られず、各種の変形，応用があり得る。
また、本発明における遊技機本体枠は、遊技盤が取付けられる遊技機の枠体を意味しており、必ずしも開閉自在に設けられた前面枠の取付けフレームに限られず、例えば機枠に固定的に設けられた枠体又は機枠自体に遊技盤を取付ける態様もあり得る。また、前面枠又は保持枠は必ずしも開閉自在に設けられる必要はない。
また、遊技盤１０への雄コネクタ１５０の取付けは、前述したようにネジ止め又は取付け部材（取付けアダプタ）を介して取付ける構造とすることができるが、遊技盤が合成樹脂により形成された場合には、その挿入側の側端面に、直接上記取付け穴１０７と同様の取付け穴を形成し、上記雌コネクタ１６０と同様の構造で取付けるようにしてもよい。
【００３１】
また、玉貸機の配置場所はパチンコ機１の側方に限るものではない。例えば、前面パネルの部分や皿前装飾体の部分に設けるようにしてパチンコ機と一体にしてもよい。また、本発明はカードリーダを備えていないパチンコ機にも適用できるのは勿論である。さらに、本発明に係わる遊技機は前述したようなプリペイドカード方式のパチンコ機に適用する例に限らない。例えば、クレジット方式のパチンコ機にも適用することができる。遊技盤の構成、機種はどのようなものでもよい。また、プリペイドカード方式でなく、全くカードを使用しないパチンコ機についても幅広く適用することが可能である。また、いわゆるパチスロ機やアレンジボール機にも適用することができる。
【図面の簡単な説明】
【００３２】
【図１】本発明を適用したパチンコ機の一実施例の全体を示す正面図である。
【図２】同実施例の保持枠及びクリア部材の構成を示す斜視図である。
【図３】同実施例の前面枠裏面構造及び遊技盤の取付け構造を示す斜視図である。
【図４】同実施例の遊技盤の着脱動作を説明するための図であって、クリア部材の保持枠を取外した状態における前面枠の正面図である。
【図５】同実施例の遊技機本体枠側のコネクタの設置状態を示す前面枠裏面（回動軸側）の部分斜視図である。
【図６】同実施例の施錠装置の構成及び設置状態を示す前面枠裏面（回動端側）の部分分解斜視図である。
【図７】同実施例の施錠装置の設置状態を示す前面枠の回動端側の側面図である。
【符号の説明】
【００３３】
１  パチンコ機
１０  遊技盤
１１  額縁状前面枠（前面枠）
１７  機枠
９３  遊技盤の挿入側の側端面
１０１  取付けフレーム
１０２  挿入口
１０４，１０５  ガイド面
１０６  取付けフレームの内側面
１０７  取付穴（設置部）
１５０  雄コネクタ（コネクタの一方）
１６０  雌コネクタ（コネクタの他方）
２００  施錠装置本体
【図１】
2006289123.tif 000003
【図２】
2006289123.tif 000004
【図３】
2006289123.tif 000005
【図４】
2006289123.tif 000006
【図５】
2006289123.tif 000007
【図６】
2006289123.tif 000008
【図７】
2006289123.tif 000009